(57)【要約】【課題】  配電線遠制システムにおける子局の保守業務を低コスト・安全に行うことができるシステムを提供する。【解決手段】  本発明によるリモート保守システムは、配電線遠方監視制御システムにおいて電柱上に設置された子局と、保守用端末とを備える。保守用端末は、子局と無線によって情報結合され、子局の運用・管理・保守等に関する情報の収集と設定を行う。【選択図】  図１
2006033919.tif 000002
【特許請求の範囲】
【請求項１】
配電線遠方監視制御システムにおいて電柱上に設置された子局と、
保守用端末とを備え、
前記保守用端末は、
前記子局と無線によって情報結合され、前記子局の運用・管理・保守等に関する情報の収集と設定を行う、
ことを特徴とするリモート保守システム。
【発明の詳細な説明】
【技術分野】
【０００１】
本発明は、配電線遠方監視制御システムにおける子局のリモート保守システムに関する。
【背景技術】
【０００２】
配電線遠方監視制御システム（配電線遠制システム）では、配電線経路上に設けられた子局と電力会社の営業所等に設けられた親局との間で種々の監視制御情報のやりとりが行われ、これにより、配電線経路上の開閉器の監視・制御や電圧・電流の監視等が行われている。
【０００３】
配電線遠制システムにおいて落雷，事故等により子局にトラブルが生じ、親局からの制御ではそのトラブルに対応できないときには、子局の設置場所まで保守要員が出向いて保守業務を行っている。配電線遠制システムにおける子局のほとんどは電柱の上に設置されているため、保守要員は、保守用端末を持参して自ら電柱に昇るか、あるいは高所作業車に乗り込み、保守用端末と子局とをケーブルで接続し、子局の動作状況の確認，通信障害発生時の通信電文の内容確認／モデム状態の確認等の保守業務を電柱上にて行っている。
【特許文献１】特開２００２−４４１１８号公報
【特許文献２】特開２０００−５７４７１号公報
【特許文献３】特開平１１−２６６５５１号公報
【発明の開示】
【発明が解決しようとする課題】
【０００４】
しかしながら上述の保守業務は、昇柱資格者・高所作業車の条件なしには実施できないため、時間的・人的コストがかかっている。
【０００５】
本発明の目的は、配電線遠制システムにおける子局の保守業務を低コスト・安全に行うことができるシステムを提供することである。
【課題を解決するための手段】
【０００６】
本発明によるリモート保守システムは、配電線遠方監視制御システムにおいて電柱上に設置された子局と、保守用端末とを備える。保守用端末は、子局と無線によって情報結合され、子局の運用・管理・保守等に関する情報の収集と設定を行う。
【０００７】
配電線遠制システム運用における子局保守業務のうち必然的に昇柱を伴う作業（機器の取り替え・電源の投入／遮断）以外としては、子局の動作状況の確認・通信障害発生時の通信電文の内容確認／モデム状態の確認・子局に対する選択確認・子局イニシャル等が実施されている。本発明のリモート保守システムでは、子局と保守用端末を無線で情報結合し、子局の運用・管理・保守に関する情報の収集と設定を行うため、これらの作業をすべて昇柱することなく地上での作業対応で実現することができる。
【発明の効果】
【０００８】
本発明のリモート保守システムによれば、地上作業による簡素化・迅速化に伴うコスト低減と、昇柱しないこと・無線利用による絶縁性の確保による保守業務の安全性の増大とを実現することができる。
【発明を実施するための最良の形態】
【０００９】
本発明の実施形態によるリモート保守システムは、図１に示すように、配電線遠方監視制御システムにおいて電柱上に設置された子局と、保守用端末とを無線で情報結合し、子局の運用・管理・保守に関する情報の収集と設定を行うものである。すなわち、外線機器（子局）に無線端末を内蔵し、メンテナンス機能をワイヤレスで実現したものである。具体的には以下の（ａ）〜（ｄ）のようにして実現している。
（ａ）子局のメンテナンス用Ｉ／Ｆ部を分岐し、新規に無線端末を接続する。
（ｂ）子局のメンテナンス端末（保守用端末）に無線端末用Ｉ／Ｆを新規に増設する。
（ｃ）子局の機能として保守用端末（無線）対応機能を組み込む。
（ｄ）無線の到達範囲を限定し混信を防止し、子局メンテナンスシーケンスの新構築により情報のセキュリティを確保する。
【００１０】
本実施形態によるリモート保守システムにおいて実行可能な項目を図２に示す。なお、本機能は子局と保守用端末を電気的に結合しても可能である。また、機能一覧に示す内容に対する受付はＩＤコードで分類される。
【００１１】
次に、このリモート保守システムにおける通信基本シーケンスについて図３〜５を参照しつつ説明する。ここでは（１）開局、（２）情報交換、（３）閉局に分けて説明する。
【００１２】
１．開局（図３参照）
子局からのコネクション要求を受け、機器認識のコマンド交換にて開局が行われる。具体的には次のような処理が行われる。
・子局は、定周期でコネクション要求パケットを送出する。
・保守用端末は、子局からのコネクション要求パケットを受け、ＩＤパケットを返送する。
・子局は、ＩＤパケットを認証し、コネクション確立の開局応答を返送する。
【００１３】
２．情報交換（図４参照）
開局後、保守用端末からＩＤセットの情報要求が発せられ、子局はＩＤに応じて情報の送出を行う。具体的には次のような処理が行われる。
・子局は、ＩＤであらかじめ許可された情報に限り、要求に対して応答を返す。
・子局からの情報送出シーケンスは種別で異なり、サイクリックとメッセージ伝送を使い分ける。「サイクリック」は、開始コマンドと終了コマンド、およびタイムアウトで管理され、「メッセージ」は、要求コマンドと応答で処理される。
・子局に対する設定・制御は、要求コマンドと応答で処理進行し、タイムアウトにてシーケンスの強制終了が行われる。
【００１４】
３．閉局（図５参照）
保守端末からのコネクション破棄要求に応じて閉局する。具体的には次のような処理が行われる。
・子局は、保守用端末からのコネクション破棄通知を受けると閉局する。
・子局は、開局後の一定期間  保守用端末からの要求・応答なき場合はタイムアウト処置を実行し、閉局する。
・閉局後  子局は、定周期のコネクション要求パケットを送出する。
【００１５】
本実施形態によるリモート保守システムでは、以上のようなシーケンスに従って子局と保守用端末を無線で情報結合し、子局の運用・管理・保守に関する情報の収集と設定を行うため、配電線遠制システム運用における子局保守業務のうち必然的に昇柱を伴う作業（機器の取り替え・電源の投入／遮断）以外の作業（子局の動作状況の確認・通信障害発生時の通信電文の内容確認／モデム状態の確認・子局に対する選択確認・子局イニシャル等）のすべてを昇柱することなく地上での作業対応で実施することができる。
【産業上の利用可能性】
【００１６】
本発明によるリモート保守システムは、配電線遠制システム運用におけるインテリジェンス型外線機器（子局）の保守業務全般に適用可能である。光遠制システムにおいては、特に、高価な確認機器の不要性が保守設備費の低減に寄与する。
【図面の簡単な説明】
【００１７】
【図１】本発明の実施形態によるリモート保守システムの概略構成を示す図である。
【図２】本実施形態によるリモート保守システムにおいて可能な項目を示す表である。
【図３】開局時のシーケンス図である。
【図４】情報交換時のシーケンス図である。
【図５】閉局時のシーケンス図である。
【図１】
2006033919.tif 000003
【図２】
2006033919.tif 000004
【図３】
2006033919.tif 000005
【図４】
2006033919.tif 000006
【図５】
2006033919.tif 000007